【手続補正書】
【提出日】平成28年6月27日(2016.6.27)
【手続補正１】
【補正対象書類名】明細書
【補正対象項目名】０００２
【補正方法】変更
【補正の内容】
【０００２】
一般に、デジタルカメラなどの光学機器において、ファインダー観察者の視線情報、被写体情報、および撮影者による測距点操作に応じて測距点（焦点検出領域）を選択するようにした光学機器が知られている。そして、被写体に係る情報（被写体情報）を検知する被写体検知機能を有する光学機器として、種々の光学機器がある（例えば、特許文献１参照）。
【手続補正２】
【補正対象書類名】明細書
【補正対象項目名】００１２
【補正方法】変更
【補正の内容】
【００１２】
上記の目的を達成するため、本発明による光学機器は、予め定められた撮影範囲に複数の焦点検出領域を有し、前記複数の焦点検出領域から選択された焦点検出領域において焦点検出を行う光学機器であって、前記撮影範囲において被写体像から所定の領域を検出する第１の検出手段と、ユーザが前記焦点検出を行う焦点検出領域を選択する操作を行うための操作部材と、複数の撮影モードから撮影モードを選択するモード選択手段と、前記所定の領域および前記操作部材の操作の優先度に応じて、前記焦点検出を行う焦点検出領域を決定する決定手段と、を有し、前記所定の領域および前記操作部材の操作の優先度は、前記モード選択手段によって選択された前記撮影モードに応じて異なることを特徴とする。
【手続補正３】
【補正対象書類名】明細書
【補正対象項目名】００１３
【補正方法】変更
【補正の内容】
【００１３】
本発明による制御方法は、予め定められた撮影範囲に複数の焦点検出領域を有し、前記複数の焦点検出領域から選択された焦点検出領域において焦点検出を行う光学機器の制御方法であって、前記撮影範囲において被写体像から所定の領域を検出する検出ステップと、前記焦点検出を行う焦点検出領域を選択するための操作部材による操作を受け付ける受け付けステップと、複数の撮影モードから撮影モードを選択するモード選択ステップと、前記所定の領域および前記操作部材の操作の優先度に応じて、前記焦点検出を行う焦点検出領域を決定する決定ステップと、を有し、前記所定の領域および前記操作部材の操作の優先度は、前記モード選択ステップによって選択された前記撮影モードに応じて異なることを特徴とする。
【手続補正４】
【補正対象書類名】明細書
【補正対象項目名】００１４
【補正方法】変更
【補正の内容】
【００１４】
本発明による制御プログラムは、予め定められた撮影範囲に複数の焦点検出領域を有し、前記複数の焦点検出領域から選択された焦点検出領域において焦点検出を行う光学機器で用いられる制御プログラムであって、前記光学機器が備えるコンピュータに、前記撮影範囲において被写体像から所定の領域を検出する検出ステップと、前記焦点検出を行う焦点検出領域を選択するための操作部材による操作を受け付ける受け付けステップと、複数の撮影モードから撮影モードを選択するモード選択ステップと、前記所定の領域および前記操作部材の操作の優先度に応じて、前記焦点検出を行う焦点検出領域を決定する決定ステップと、を実行させ、前記所定の領域および前記操作部材の操作の優先度は、前記モード選択ステップによって選択された前記撮影モードに応じて異なることを特徴とする。
【手続補正５】
【補正対象書類名】明細書
【補正対象項目名】００１５
【補正方法】変更
【補正の内容】
【００１５】
本発明によれば、選択された撮影モードに応じて、被写体像における所定の領域の検出に応じた焦点検出領域とユーザの操作による焦点検出領域の変更とに優先度をつけて、当該優先度の設定に応じて焦点検出を行う焦点検出領域を決定するようにしたので、撮影者の意図に応じた焦点検出領域が選択されるようになって、焦点検出領域を選択する際の利便性を向上させることができる。
【手続補正６】
【補正対象書類名】明細書
【補正対象項目名】００２１
【補正方法】変更
【補正の内容】
【００２１】
測距スタート釦１０１を押すと測距動作が行われるが、測距点選択部（マルチコントローラ：以下ＭＣという）１０２によって撮影者は測距点（焦点検出領域ともいう）の移動を行うことができる。ＭＣ１０２には、図中上下左右と斜め方向との８方向に操作可能なスイッチ部材が用いられており、その中央部１０２ａを押すことによって測距点の中央部を選択することができる。
【手続補正７】
【補正対象書類名】明細書
【補正対象項目名】０１４０
【補正方法】削除
【補正の内容】
【手続補正８】
【補正対象書類名】明細書
【補正対象項目名】０１４１
【補正方法】削除
【補正の内容】
【手続補正９】
【補正対象書類名】明細書
【補正対象項目名】０１４４
【補正方法】削除
【補正の内容】
【手続補正１０】
【補正対象書類名】特許請求の範囲
【補正対象項目名】全文
【補正方法】変更
【補正の内容】
【特許請求の範囲】
【請求項１】
予め定められた撮影範囲に複数の焦点検出領域を有し、前記複数の焦点検出領域から選択された焦点検出領域において焦点検出を行う光学機器であって、
前記撮影範囲において被写体像から所定の領域を検出する第１の検出手段と、
ユーザが前記焦点検出を行う焦点検出領域を選択する操作を行うための操作部材と、
複数の撮影モードから撮影モードを選択するモード選択手段と、
前記所定の領域および前記操作部材の操作の優先度に応じて、前記焦点検出を行う焦点検出領域を決定する決定手段と、を有し、
前記所定の領域および前記操作部材の操作の優先度は、前記モード選択手段によって選択された前記撮影モードに応じて異なることを特徴とする光学機器。
【請求項２】
前記決定手段は、前記所定の領域の優先度が前記操作部材の操作の優先度よりも高い場合に、前記操作部材を用いて前記焦点検出を行う焦点検出領域を変更する操作が行われると、当該操作された変更方向に存在する前記所定の領域に対応する前記焦点検出領域に、前記焦点検出を行う焦点検出領域を変更することを特徴とする請求項１に記載の光学機器。
【請求項３】
前記所定の領域の優先度が前記操作部材の操作の優先度よりも高い場合に、前記操作部材による前記焦点検出領域の選択範囲を前記第１の範囲に規制する規制手段を有することを特徴とする請求項１に記載の光学機器。
【請求項４】
前記撮影範囲における撮影者の視線の位置を検出する第２の検出手段と、
前記第１の検出手段で検出された前記所定の領域に応じた焦点検出領域と前記第２の検出手段によって検出された前記視線の位置に応じた焦点検出領域とが対応する場合に、前記操作部材による焦点検出領域の変更を制限する制限手段とを有することを特徴とする請求項１〜３のいずれか１項に記載の光学機器。
【請求項５】
前記決定手段は、前記第１の検出手段によって検出された前記所定の領域に基づく第１の範囲に、前記第２の検出手段によって検出された視線の位置が含まれている場合、前記第１の範囲の中心付近に位置する焦点検出領域を、前記焦点検出を行う焦点検出領域として決定することを特徴とする請求項４に記載の光学機器。
【請求項６】
前記優先度に応じて、前記第１の範囲を異ならせる変更手段を備え、
前記変更手段は、前記所定の領域の大きさに対して所定の比率の大きさとなるように前記第１の範囲を設定し、前記所定の領域の優先度が前記視線の位置の優先度よりも高い場合と比較して、前記視線の位置の優先度が前記所定の領域の優先度よりも高い場合の前記所定の比率を小さくすることを特徴とする請求項５に記載の光学機器。
【請求項７】
単写モードおよび連写モードのいずれかを設定する設定手段を有し、
前記変更手段は、前記単写モードが設定されている場合と比較して、前記連写モードが設定されている場合の前記所定の比率を大きくすることを特徴とする請求項６に記載の光学機器。
【請求項８】
単写モードおよび連写モードのいずれかを設定する設定手段を有し、
前記決定手段は、前記設定手段による設定に応じて、前記操作部材による焦点検出領域の変更が可能な時間を異ならせることを特徴とする請求項１〜７のいずれか１項に記載の光学機器。
【請求項９】
前記操作部材によって前記焦点検出領域を変更する際、ユーザが当該焦点検出領域を識別できるように表示する表示制御手段を有することを特徴とする請求項１〜８のいずれか１項に記載の光学機器。
【請求項１０】
前記所定の領域は顔の領域であることを特徴とする請求項１〜９のいずれか１項に記載の光学機器。
【請求項１１】
予め定められた撮影範囲に複数の焦点検出領域を有し、前記複数の焦点検出領域から選択された焦点検出領域において焦点検出を行う光学機器の制御方法であって、
前記撮影範囲において被写体像から所定の領域を検出する検出ステップと、
前記焦点検出を行う焦点検出領域を選択するための操作部材による操作を受け付ける受け付けステップと、
複数の撮影モードから撮影モードを選択するモード選択ステップと、
前記所定の領域および前記操作部材の操作の優先度に応じて、前記焦点検出を行う焦点検出領域を決定する決定ステップと、を有し、
前記所定の領域および前記操作部材の操作の優先度は、前記モード選択ステップによって選択された前記撮影モードに応じて異なることを特徴とする制御方法。
【請求項１２】
予め定められた撮影範囲に複数の焦点検出領域を有し、前記複数の焦点検出領域から選択された焦点検出領域において焦点検出を行う光学機器で用いられる制御プログラムであって、
前記光学機器が備えるコンピュータに、
前記撮影範囲において被写体像から所定の領域を検出する検出ステップと、
前記焦点検出を行う焦点検出領域を選択するための操作部材による操作を受け付ける受け付けステップと、
複数の撮影モードから撮影モードを選択するモード選択ステップと、
前記所定の領域および前記操作部材の操作の優先度に応じて、前記焦点検出を行う焦点検出領域を決定する決定ステップと、を実行させ、
前記所定の領域および前記操作部材の操作の優先度は、前記モード選択ステップによって選択された前記撮影モードに応じて異なることを特徴とする制御プログラム。